(57)【要約】【課題】電動膨張弁を内蔵しない通常の室内機と比較して、室内機の形状を大きくすることがなく、かつ電動膨張弁を内蔵しない通常の室内機と比較して、運転時の運転音を略同等にすることができる空気調和機を提供する。【解決手段】室内機２ａ、２ｂの筐体２Ａ、２Ｂ、２Ｃ内に、送風ファン１２の前後及び上方を覆う熱交換器１１と、電動膨張弁１６とを備えた空気調和機において、熱交換器１１の左端部又は右端部のいずれかの一部であって、送風ファン１２の後方を覆う部分に切り欠き部２９を設け、この切り欠き部２９に電動膨張弁１６を配設した。【選択図】図７
2008224179.tif 000002
【特許請求の範囲】
【請求項１】
室内機の筐体内に、送風ファンの前後及び上方を覆う熱交換器と、電動膨張弁とを備えた空気調和機において、
前記熱交換器の左端部又は右端部のいずれかの一部であって、前記送風ファンの後方を覆う部分に切り欠き部を設け、この切り欠き部に前記電動膨張弁を配設したことを特徴とする空気調和機。
【請求項２】
前記室内機が前記熱交換器の外形状に沿って着脱可能なフィルターを備え、前記切り欠き部に前記電磁膨張弁の外方を覆うカバー部材を設けたことを特徴とする請求項１に記載の空気調和機。
【請求項３】
前記切り欠き部に、前記電磁膨張弁に接続されるストレーナーを配置したことを特徴とする請求項１または請求項２に記載の空気調和機。
【請求項４】
前記切り欠き部を設けた端部側に、電装箱を配置したことを特徴とする請求項１から請求項３のいずれか１つに記載の空気調和機。
【請求項５】
前記室内機の前記切り欠き部を設けた端部側から、室外機に接続される冷媒配管を延出させたことを特徴とする請求項１から請求項４のいずれか１つに記載の空気調和機。
【発明の詳細な説明】
【技術分野】
【０００１】
本発明は、壁掛け用の室内機を複数用いたマルチ型の空気調和機に関する。
【背景技術】
【０００２】
従来の壁掛け用の室内機では、熱交換率を高くするために、筐体内の幅方向の全体に亘って室内熱交換器を配置している。また、熱交換器機の断面形状は、送風ファンの前後及び上側を覆うべく、略Ｊ字形状（詳細には、逆Ｊ字形状）に形成されている（特許文献１及び特許文献２参照）。これにより、上側に位置する吸込口から吸い込まれた室内空気は、室内熱交換器を通過して、下側に位置する送風口から熱交換後の空気が送風されるようになる。
【０００３】
一方、壁掛け用の複数台の室内機と、室外機とで構成されるいわゆるマルチ型の空気調和装置では、この各室内機の筐体内に冷媒の流量を調整するための電動膨張弁を収納し、各室内機で冷暖房運転を個々に操作し得るようにしている。
【特許文献１】特開２００５−１６８３０号公報
【特許文献２】特開２００５−２３３４８４号公報
【発明の開示】
【発明が解決しようとする課題】
【０００４】
しかしながら、室内機の筐体内に電動膨張弁を取り付けるためには、室内機の内容積を広げなければならず、通常の室内機と比べて外形寸法が大きくなってしまう。
また、電動膨張弁を取り付ける場合には、異物を除去するストレーナーや、オリフィスを設けなければならず、運転時の運転音が通常の室内機と比べて大きくなってしまう。
【０００５】
本発明は、上述した事情に鑑みてなされたものであり、電動膨張弁を内蔵しない通常の室内機と比較して、室内機の形状を大きくすることがなく、かつ電動膨張弁を内蔵しない通常の室内機と比較して、運転時の運転音を略同等にすることができる空気調和機を提供することを目的とする。
【課題を解決するための手段】
【０００６】
本発明では、室内機の筐体内に、送風ファンの前後及び上方を覆う熱交換器と、電動膨張弁とを備えた空気調和機において、前記熱交換器の左端部又は右端部のいずれかの一部であって、前記送風ファンの後方を覆う部分に切り欠き部を設け、この切り欠き部に前記電動膨張弁を配設したことを特徴とする。
この構成によれば、熱交換器に必要な効率を確保しつつ、電動膨張弁を室内機に配置することができる。
【０００７】
また、前記室内機が前記熱交換器の外形状に沿って着脱可能なフィルターを備え、前記切り欠き部に前記電磁膨張弁の外方を覆うカバー部材を設けることもできる。
この構成によれば、フィルターを電動膨張弁に引っ掛けることがなく、容易にフィルターを着脱することができる。
【０００８】
さらに、前記切り欠き部に、前記電磁膨張弁に接続されるストレーナーを配置してもよい。
この構成によれば、大きな運転音を発生するストレーナーが裏側にあるので、室内側から音が聞こえ難くすることができる。さらには、カバー部材によって運転音を低減させることができる。
【０００９】
また、前記切り欠き部を設けた端部側に、電装箱を配置してもよい。
この構成によれば、電磁膨張弁と接続される配線を短くすることができる。
【００１０】
さらに、前記室内機の前記切り欠き部を設けた端部側から、室外機に接続される冷媒配管を延出させてもよい。
この構成によれば、電磁膨張弁と接続される冷媒配管を短くすることができる。
【発明の効果】
【００１１】
本発明によれば、室内機の筐体内に、送風ファンの前後及び上方を覆う熱交換器と、電動膨張弁とを備えた空気調和機において、前記熱交換器の左端部又は右端部のいずれかの一部であって、前記送風ファンの後方を覆う部分に切り欠き部を設け、この切り欠き部に前記電動膨張弁を配設しているので、熱交換器に必要な効率を確保しつつ、電動膨張弁を配置することができる。そのため、室内機の内部に電動膨張弁を配置するスペースを別途確保する必要がなくなる。また、室内機の前部を覆う前ケースを外したときに、電動膨張弁が見えない位置にあるため、前ケースを外しても見た目がよい。さらに、通常の室内機と同じ大きさにすることができるので、製造時における金型や使用部品類を共通化することができる。
また、熱交換器の後方部分に切り欠き部を設けて、この切り欠き部に電動膨張弁を配置しているので、室内側から電動膨張弁までの距離をできるだけ遠ざけることができる。その結果、室内側で電動膨張弁の運転音が小さく聞こえる（消音される）ようになるので、室内の居住性を良好に維持することができる。
【００１２】
また、前記室内機が前記熱交換器の外形状に沿って着脱可能なフィルターを備え、前記切り欠き部に前記電磁膨張弁の外方を覆うカバー部材を設けているので、フィルターを電動膨張弁に引っ掛けることがなく、フィルターを容易に着脱することができる。
【００１３】
さらに、前記切り欠き部に、前記電磁膨張弁に接続されるストレーナーを配置しているので、大きな運転音を発生するストレーナーが裏側にあるので、室内側から音が聞こえ難くすることができる。さらには、カバー部材によって運転音を低減させることができる。その結果、室内の居住性を良好に維持することができる。
【００１４】
さらにまた、前記切り欠き部を設けた端部側に、電装箱を配置し、前記室内機の前記切り欠き部を設けた端部側から、室外機に接続される冷媒配管を延出させているので、配線及び冷媒配管を短くすることができ、引き回しが容易になる。
【発明を実施するための最良の形態】
【００１５】
以下、本発明の実施の形態に係る空気調和機について、図面を参照しながら説明する。図１は、マルチ型の空気調和機の概要図である。
空気調和機１は、室内の壁に掛けられる壁掛け用の室内機２（本実施の形態では、２台の室内機２ａ、２ｂ）と室外に設置される室外機３とを備え、それぞれが２本の冷媒管４（液管４Ａ、ガス管４Ｂ）で接続されている。また、それぞれの室内機２ａ、２ｂは、ワイヤレスリモコン装置５によって遠隔操作可能になっている。
なお、室内機２を２台としたのは一例であり、３台以上の室内機２ａ、２ｂ、…が冷媒管４を介して室外機３に接続されていてもよい。
【００１６】
図２は、室内機２ａを側部から見た断面図であり、左側が壁側、右側が室内側（前面側）である。また、図３は、この室内機２の分解図斜視図、図４は、室内機２の前面部の分解斜視図である。
なお、室内機２ａと室内機２ｂとは、それぞれ同じ構造を有しているため、以下、室内機２ａについて説明し、室内機２ｂについての説明は省略する。
【００１７】
室内機２ａの外形状を形成する筐体は、図２に示すように、前面側の前ケース部２Ａと、後面側の後ケース部２Ｂと、前ケース部２Ａの下側に位置するルーバー部２Ｃとで構成されている。この前ケース部２Ａは、その前側に前面パネル２Ｄが取り付けられており、上面部に吸込口２ｆが設けられ、ルーバー部２Ｃには、吹出口９が設けられている。また、後ケース部２Ｂの後側には、室内の壁に取り付けるための、据付け枠体１４（図３参照）が設けられている。
【００１８】
この前ケース部２Ａと後ケース部２Ｂとに囲まれた部分の内方には、図２に示すように、室内熱交換器１１と、この室内熱交換器１１の下側に位置する送風ファン１２と、室内熱交換器１１の下側を覆い、室内熱交換器１１から流下するドレン水を貯留し排出するドレンパン６と、前ケース部２Ａと室内熱交換器１１との間に着脱可能に配置され、吸込まれた室内側空気内の比較的大きな塵や埃を除塵するエアフィルター７と、後ケース部２Ｂの右側端部に取り付けられ、後述する電動膨張弁１６等を制御する電装箱１３（図３参照）とが設けられている。
【００１９】
室内熱交換器１１は、室内の空気を加熱／冷却（調温）するものであり、その配管内を冷媒が通過することにより、冷房／ドライ運転時に蒸発器として作用し、冷却器として機能する。また、暖房運転時には、凝縮器として作用し、加熱器として機能するものである。この室内熱交換器１１は、図２に示すように、その断面形状が略Ｊ字形状（詳細には、Ｊ字形状の上下を逆さにした形状）をなしており、送風ファン１２の前後及び上方を覆うようになっている。これにより、前ケース部２Ａの上方から吸い込まれる室内側空気Ｗ１が、この室内熱交換器１１を通過するように配置されている。
また、この室内熱交換器１１は、図３に示すように、室内機２の幅方向の全体（詳細には、前ケース部２Ａの左側端部から電装箱１３まで）に亘って延在する態様で配置されている。なお、室内熱交換器１１の詳細については、後述する。
【００２０】
送風ファン１２は、吸込口２ｆから室内側空気Ｗ１（図２参照）が室内熱交換器１１を通過するように吸込み、吹出口９から加熱／冷却後の空気Ｗ２（図２参照）を再び室内に循環させるためのものである。この送風ファン１２は、図３に示すように、室内熱交換器１１と同様に、室内機２の幅方向の全体（詳細には、前ケース部２Ａの左側端部から電装箱１３まで）に亘って延在する態様で配置されている。また、この送風ファン１２は、側部に配置された送風ファンモータ１２Ａ（例えば、クロスフローファン）によって駆動されるようになっている。
【００２１】
また、エアフィルター７と室内熱交換器１１との間であって、空気調和機１の前側部分には、図２に示すように、空気清浄フィルター８が設けられている。この空気清浄フィルター８は、エアフィルター７を通過した室内空気内の比較的細かい塵や埃を除塵するためのものである。
さらに、吹出口９には、この吹出口９から吹出す温風／冷風の上下風向を制御するフラップ９Ａと、この吹出口９から吹出す温風／冷風の左右風向を制御する複数の縦羽根１０が取り付けられている。このフラップ９Ａには、その角度を調整する駆動用モータが取り付けられ、ワイヤレスリモコン装置５の操作によりフラップ９Ａが回動自在に制御されるようになっている。
【００２２】
図５は、本実施の形態に係る空気調和機１の冷媒回路図を示す。
室内機２ａには、液管４Ａ及びガス管４Ｂから分流した分流管１５ａが配管されている。また、室内機２ｂには、分流管１５ｂが配管されている。そして、室内機２ａと室内機２ｂには、それぞれ、分流管１５ａ、１５ｂを介して、室内熱交換器１１及び電動膨張弁１６（詳細は後述する）と、異物を除去するストレーナー１７（詳細は後述する）とがそれぞれ接続されている。
【００２３】
室外機３には、冷媒を圧縮する圧縮機１８と、外気と冷媒との熱交換を行う室外熱交換器１９と、減圧装置としての電動膨張弁２１と、冷房時及び暖房時の冷媒の流通方向を切り換える四方弁２２と、異物を除去するストレーナー２３とが設けられている。
また、図５に示すように、除霜弁２４とレシーバタンク２５とを介挿させて、除霜時に室外熱交換器１９及び室内熱交換器１１に高温冷媒ガスを流通させることができるようにする除霜回路２６等を設けた構成にすることもできる。
なお、室外機３及び室内機２との配管接続は、サービスバルブ２７Ａ、２７Ｂにて行われるようになっている。
【００２４】
こうして、１台の室外機３に対して、２台（またはそれ以上）の室内機２ａ、２ｂ、…を接続している。そして、上記冷凍サイクルで、四方弁２２を切り換えることにより、冷房時においては実線矢印の方向に冷媒が循環し、暖房時においては破線矢印の方向に冷媒が循環する。
【００２５】
図６は、室内機２ａ、２ｂに取り付けられる室内熱交換器１１の分解斜視図を示す。なお、図６において、前側（室内側）は、左斜め下側である。また、図７及び図８は、室内熱交換器１１を左斜め後方から見た斜視図であって、電動膨張弁１６を取り付けた状態を示すものである。
室内熱交換器１１は、逆Ｊ字形状の頂上部で、前側に位置する親熱交換器１１Ａと、後側に位置する子熱交換器１１Ｂとが分離又は組み付け可能に構成されている。また、親熱交換器１１Ａの右側端部には、液管４Ａと、ガス管４Ｂと、ドレンパン６からドレン水を排出するドレン配管２８が組み付けられるようになっている。
【００２６】
この子熱交換器１１Ｂの長さＬ２は、図６に示すように、親熱交換器１１Ａの幅方向の長さＬ１と比較して、短く形成されている。より詳細には、子熱交換器１１Ｂと親熱交換器１１Ａとの左端部が一致するように組み付けた状態で、子熱交換器１１Ｂの右端部が切り欠かれたように（以下、切り欠き部２９という。図７及び図８参照）なっている。この切り欠き部２９は、図３に示すように、電装箱１３が配置される側に形成されている。
【００２７】
この切り欠き部２９には、図７及び図８に示すように、電動膨張弁１６が取り付けられている。また、液管４Ａとガス管４Ｂとは、フレキシブルなパイプ３０内に内包して室外機３まで配管されるており、この切り欠き部２９から、このパイプ３０が延びている。さらに、この切り欠き部２９には、ストレーナー１７を配置することもできる。
このように取り付けられた電動膨張弁１６は、図２に２点差線で示すように、室内機２ａの側部から見て、親熱交換器１１Ａの後方であって、室内機２ａの壁側上部に位置することになる。
【００２８】
また、電動膨張弁１６の外周には、図８に示すように、カバー部材３１が取り付けられている。また、親熱交換器１１Ａの右側側部（図８では左側となる）も、カバー部材３２で覆われるようになる。
このカバー部材３１は、図８に示すように、１枚の鋼板を上下に折り曲げたものであり、電動膨張弁１６の幅方向の全体を覆っている。また、カバー部材３１の上部には、親熱交換器１１Ａの表面と段差ができないように取り付けられる案内面部３１ａが形成されている。さらに、このカバー部材３１が取り付けられた後、図３に示す遮音部材３３ａ、３３ｂ、３３ｃ、３３ｄが親熱交換器１１Ａの右側側面、及び電装箱１３の前面を覆うように取り付けられる。
【００２９】
この案内面部３１ａは、エアフィルター７を着脱する際に、このエアフィルター７を案内するためのものである。より詳細には、エアフィルター７の取り付けは、図４に示すように、前面パネル２Ｄを取り外し、室内機２ａの奥行き方向に屈曲するエアフィルター７の上部７ａを、前ケース部２Ａの幅方向に長い長孔２ｅに挿入することにより行われる。このとき、エアフィルター７の上部７ａは、室内熱交換器１１の上部の形状に案内され、室内機２ａの奥側まで入り込むことになる。一方、切り欠き部２９では、子熱交換器１１Ｂが切り欠かれているため、カバー部材３１の案内面部３１ａがエアフィルター７の上部７ａを案内することになる。
【００３０】
本発明の実施の形態に係る空気調和機１では、室内熱交換器１１の子熱交換器１１Ｂの部分に切り欠き部２９を形成し、この切り欠き部２９に電動膨張弁１６を配置しているので、室内熱交換器１１に必要な効率を確保しつつ、電動膨張弁１６を配置することができる。そのため、室内機２ａ、２ｂの内部に電動膨張弁１６を配置するスペースを別途確保する必要がなくなる。また、室内機２ａ、２ｂの前部を覆う前ケース部２Ａまたは前面パネル２Ｄを外したときに、電動膨張弁１６が見えない位置にあるため、前ケース部２Ａまたは前面パネル２Ｄを外しても見た目がよい。さらに、電動膨張弁１６を内蔵しない通常の室内機と同じ大きさにすることができるので、製造時における前ケース部２Ａや後ケース部２Ｂなどの金型や使用部品類を共通化することができる。
また、室内機２ａ、２ｂの側部断面（図２参照）において、室内機２ａ、２ｂの壁側上部に電動膨張弁１６が配置されることになるので、室内側から電動膨張弁１６までの距離をできるだけ遠ざけるようにすることができる。その結果、室内側での電動膨張弁１６の運転音が小さく聞こえる（消音される）ようになるので、室内の居住性を良好に維持することができる。
【００３１】
また、切り欠き部２９に、電動膨張弁１６の外方を覆うカバー部材３１を設けているので、エアフィルター７の着脱時に、このカバー部材３１の案内面部３１ａによってエアフィルター７の上部７ａを室内機２ａ、２ｂの奥側へ案内することができる。その結果、エアフィルター７の上部７ａが電動膨張弁１６に引っ掛かることなく、容易に着脱することができる。
他方、このカバー部材３１は、電動膨張弁１６を覆うことにより、電動膨張弁１６の運転音を遮蔽する役割を果たしている。これにより、さらに電動膨張弁１６の運転音を小さくすることができ、室内の居住性を良好にすることができる。
【００３２】
さらに、ストレーナー１７を電動膨張弁１６と共に配置することで、ストレーナー１７の音も消音されるようになる。そのため、室内の居住性を良好に維持することができる。
【００３３】
さらにまた、切り欠き部２９を電装箱１３が配置される側に形成しているので、電動膨張弁１６と電装箱１３との距離を短くすることができる。そのため、電動膨張弁１６と電装箱１３との配線を短くすることができ、材料費を低減することができると共に、配線作業を容易にすることができる。
【００３４】
また、液管４Ａとガス管４Ｂとを内包するパイプ３０が、切り欠き部２９から延在するようにしたので、液管４Ａとガス管４Ｂとを短くすることができる。そのため、材料費を低減することができると共に、配管作業を容易にすることができる。
【００３５】
以上、本発明を実施するための最良の形態について述べたが、本発明は既述の実施形態に限定されるものではなく、本発明の技術思想に基づいて各種の変形および変更が可能である。
本実施の形態では、電装箱１３を室内機２ａ、２ｂの右側端部に配置し、その近傍に切り欠き部２９を形成しているが、左右を逆にして入れ替えた構造であっても、本実施の形態と同様な作用・効果を得ることができる。
【００３６】
また、カバー部材３１は、本実施の形態では鋼板製にしたが、遮音効果の高い材料、又は、エアフィルター７の案内性能（摩擦、摩耗性能）に問題がなければ、樹脂成型品であってもかまわない。
【図面の簡単な説明】
【００３７】
【図１】本発明の実施の形態に係る空気調和機の概要図である。
【図２】図１に示す室内機の側部断面図である。
【図３】図１に示す室内機の分解斜視図である。
【図４】図１に示す室内機の前面パネル及びエアフィルターの分解斜視図である。
【図５】図１に示す空気調和機の冷媒回路図である。
【図６】図３に示す室内熱交換器をさらに分解した斜視図である。
【図７】室内熱交換器を組み立てた状態で、左斜め後方から見た斜視図である。
【図８】図７の状態にカバー部材を取り付けた斜視図である。
【符号の説明】
【００３８】
１  空気調和機
２  室内機
２Ａ  前ケース部
２Ｂ  後ケース部
２Ｃ  ルーバー部
２Ｄ  前面パネル
２ｅ  長孔
２ｆ  吸込口
３  室外機
４  冷媒管
４Ａ  液管
４Ｂ  ガス管
５  ワイヤレスリモコン装置
６  ドレンパン
７  エアフィルター
７ａ  上部
８  空気清浄フィルター
９  吹出口
９Ａ  フラップ
１０  縦羽根
１１  室内熱交換器
１２  送風ファン
１２Ａ  送風ファンモータ
１３  電装箱
１４  据付け枠体
１５ａ、１５ｂ  分流管
１６  電動膨張弁
１７  ストレーナー
１８  圧縮機
１９  室外熱交換器
２１  電動膨張弁
２２  四方弁
２３  ストレーナー
２４  除霜弁
２５  レシーバタンク
２６  除霜回路
２７Ａ、２７Ｂ  サービスバルブ
２８  ドレン配管
２９  切り欠き部
３０  パイプ
３１、３２  カバー部材
３１ａ  案内面部
３３ａ、３３ｂ、３３ｃ、３３ｄ  遮音部材
Ｗ１  室内側空気
Ｗ２  加熱／冷却後の空気
【図１】
2008224179.tif 000003
【図２】
2008224179.tif 000004
【図３】
2008224179.tif 000005
【図４】
2008224179.tif 000006
【図５】
2008224179.tif 000007
【図６】
2008224179.tif 000008
【図７】
2008224179.tif 000009
【図８】
2008224179.tif 000010